(57)【要約】  本開示の実施形態は、ライセンス補助アクセスのアップリンク・チャネル検出においてチャネル検出しきい値を決定するための方法および装置を開示する。本方法は、ユーザ機器に関連付けられた１つまたは複数のパラメータを決定することと、１つまたは複数のパラメータのうちの少なくとも１つに基づいて、ユーザ機器のチャネル検出しきい値を決定することとを備える。このしきい値決定方法は、適切なしきい値決定、柔軟なチャネル・アクセス、および複数の無線アクセス・ポイント間のチャネル・アクセス機会のバランスを実現し得る。【選択図】図１
2019504580.tif 000002
【特許請求の範囲】
【請求項１】
ライセンス補助アクセスのアップリンク・チャネル・アクセスにおいてチャネル検出しきい値を決定する方法であって、
ユーザ機器に関連付けられた１つまたは複数のパラメータを決定することと、
前記１つまたは複数のパラメータのうちの少なくとも１つに基づいて、前記ユーザ機器の前記チャネル検出しきい値を決定することと
を備える、方法。
【請求項２】
前記ユーザ機器に関連付けられた前記１つまたは複数のパラメータを決定することが、
前記１つまたは複数のパラメータとして、前記ユーザ機器に関連付けられた
（ａ）チャネル帯域幅、
（ｂ）送信電力、
（ｃ）別のタイプの無線アクセス・ポイントが存在するかどうか、および、
（ｄ）隠れノードが存在するかどうか、
の項目のうちの１つまたは複数を決定することを備える、請求項１に記載の方法。
【請求項３】
前記１つまたは複数のパラメータのうちの前記少なくとも１つに基づいて、前記ユーザ機器の前記チャネル検出しきい値を決定することが、
前記チャネル帯域幅および前記送信電力のうちの少なくとも１つに基づいて前記チャネル検出しきい値を増加または減少させること、あるいは、
前記別のタイプの無線アクセス・ポイントの存在および前記隠れノードの存在のうちの少なくとも１つに基づいて前記チャネル検出しきい値を減少させること
のうちの少なくとも１つを備える、請求項２に記載の方法。
【請求項４】
前記ユーザ機器に関連付けられた前記１つまたは複数のパラメータを決定することが、
システム全体のチャネル帯域幅を決定すること、または、
前記ユーザ機器のバースト送信に割り振られ使用されるチャネル帯域幅を決定すること
によって、前記ユーザ機器に関連付けられた前記チャネル帯域幅を決定することを備える、請求項２に記載の方法。
【請求項５】
前記ユーザ機器に関連付けられた前記１つまたは複数のパラメータを決定することが、
前記ユーザ機器の最大送信電力を決定すること、
前記ユーザ機器のバースト送信の予想される送信電力を決定すること、または
前記ユーザ機器の前記バースト送信の前の時間期間における平均送信電力を決定すること
によって、前記ユーザ機器に関連付けられた前記送信電力を決定することを備える、請求項２に記載の方法。
【請求項６】
前記ユーザ機器に関連付けられた前記１つまたは複数のパラメータを決定することが、
前記ユーザ機器に関連付けられた前記別のタイプの無線アクセス・ポイントが存在するかどうかを検出することと、
前記ユーザ機器に関連付けられた前記別のタイプの無線アクセス・ポイントが存在するかどうかを示すシグナリングを受信することと
のうちの少なくとも１つによって、前記ユーザ機器に関連付けられた前記別のタイプの無線アクセス・ポイントが存在するかどうかを決定することを備える、請求項２に記載の方法。
【請求項７】
前記ユーザ機器に関連付けられた前記１つまたは複数のパラメータを決定することが、
基地局によって検出された前記隠れノードの存在を示すシグナリングを受信すること、または、
前記基地局によって決定された前記隠れノードの存在を示すシグナリングを受信すること
によって、前記ユーザ機器に関連付けられた前記隠れノードが存在するかどうかを決定することを備える、請求項２に記載の方法。
【請求項８】
ライセンス補助アクセスのアップリンク・チャネル・アクセスにおいてチャネル検出しきい値を決定するための装置であって、
ユーザ機器に関連付けられた１つまたは複数のパラメータを決定するように構成されたパラメータ決定モジュールと、
前記１つまたは複数のパラメータのうちの少なくとも１つに基づいて、前記ユーザ機器の前記チャネル検出しきい値を決定するように構成されたチャネル検出しきい値決定モジュールと
を備える、装置。
【請求項９】
前記パラメータ決定モジュールが、
前記ユーザ機器に関連付けられたチャネル帯域幅を決定するように構成されたチャネル帯域幅決定ユニットと、
前記ユーザ機器に関連付けられた送信電力を決定するように構成された送信電力決定ユニットと、
別のタイプの無線アクセス・ポイントが存在するかどうかを決定するように構成された無線アクセス・ポイント決定ユニットと、
隠れノードが存在するかどうかを決定するように構成された隠れノード決定ユニットと
を備える、請求項８に記載の装置。
【請求項１０】
前記チャネル検出しきい値決定モジュールが、
前記チャネル帯域幅および前記送信電力のうちの少なくとも１つに基づいて前記チャネル検出しきい値を増加または減少させること、あるいは、
前記別のタイプの無線アクセス・ポイントの存在および前記隠れノードの存在のうちの少なくとも１つに基づいて前記チャネル検出しきい値を減少させること
のうちの少なくとも１つを実行するように構成される、請求項９に記載の装置。
【請求項１１】
前記パラメータ決定モジュールが、前記１つまたは複数のパラメータを第１の順序で決定するように構成され、
前記チャネル検出しきい値決定モジュールが、前記第１の順序で決定された前記１つまたは複数のパラメータのうちの少なくとも１つを使用して前記チャネル検出しきい値を決定するように構成される、請求項８に記載の装置。
【請求項１２】
前記チャネル帯域幅決定ユニットが、
システム全体のチャネル帯域幅を決定するように構成された第１の帯域幅決定ユニットと、
前記ユーザ機器のバースト送信に割り振られ使用されるチャネル帯域幅を決定するように構成された第２の帯域幅決定ユニットと
を備える、請求項９に記載の装置。
【請求項１３】
前記送信電力決定ユニットが、
前記ユーザ機器の最大送信電力を決定するように構成された第１の送信電力決定ユニット、
前記ユーザ機器のバースト送信の予想される送信電力を決定するように構成された第２の送信電力決定ユニット、または
前記ユーザ機器の前記バースト送信の前の時間期間における平均送信電力を決定するように構成された第３の送信電力決定ユニット
を備える、請求項９に記載の装置。
【請求項１４】
前記無線アクセス・ポイント決定ユニットが、
前記ユーザ機器に関連付けられた前記別のタイプの無線アクセス・ポイントが存在するかどうかを検出するように構成された検出ユニットと、
前記ユーザ機器に関連付けられた前記別のタイプの無線アクセス・ポイントが存在するかどうかを示すシグナリングを受信するように構成された受信ユニットと
を備える、請求項９に記載の装置。
【請求項１５】
前記隠れノード決定ユニットが、
基地局によって検出された前記隠れノードの存在を示すシグナリングを受信すること、または、
前記基地局によって決定された前記隠れノードの存在を示すシグナリングを受信すること
を行うように構成される、請求項９に記載の装置。
【発明の詳細な説明】
【技術分野】
【０００１】
本開示の実施形態は、ライセンス補助（ｌｉｃｅｎｓｅｄ−ａｓｓｉｓｔｅｄ）アクセスのアップリンク・チャネル・アクセスにおけるチャネル検出しきい値を決定するための方法および装置に関する。
【背景技術】
【０００２】
３ＧＰＰ  ＬＴＥ  Ｒｅｌ−１３では、ライセンス補助アクセス（ＬＡＡ）におけるダウンリンク（ＤＬ）送信にアンライセンス（ｕｎｌｉｃｅｎｓｅｄ）・スペクトルが使用される。リッスン・ビフォア・トーク（ＬＢＴ）はＬＡＡ  ＤＬに対して定義され、基地局（ｅＮＢ）が送信前にチャネル検出手順を実行することを要求し、またこの手順が成功した場合にのみ送信を実行することを要求する。チャネル検出手順の１つの部分は、ｅＮＢがエネルギー検出を行う必要があり、チャネルが特定の時間期間にわたって空いているかどうかを決定するために受信したエネルギーをエネルギーしきい値と比較することである。このしきい値は、ｅＮＢのチャネル・アクセス機会に重大な影響を与え、したがってＬＡＡとＷｉ−Ｆｉなどの他のネットワークとの共存、またはＬＡＡノード間の共存に大きな影響を与える。
【０００３】
ＬＡＡ  ＤＬにおいて、最大エネルギー検出しきい値（以下、しきい値と呼ぶ）は、以下の関数として定義される。
−  別のタイプのＲＡＴ（ＬＡＡ以外）があるかどうか、
−  ｅＮＢにおいて設定された送信電力、および、
−  チャネル帯域幅。
【０００４】
さらに、ｅＮＢは、定義された最大エネルギー検出しきい値よりも大きくないしきい値を使用する柔軟性を有する。特定のしきい値適応メカニズムは、ｅＮＢの実装形態に依存する。
【０００５】
最近、ＬＡＡ−ＵＬ（アップリンク）送信のサポートを指定するＲｅｌ−１４において、新しい作業プロジェクトが承認された。ＵＬ送信のチャネル検出手順はユーザ機器（ＵＥ）に対して定義される必要があり、それに応じて、エネルギー検出しきい値もＵＬ送信のために定義される必要がある。
【０００６】
ＤＬとＵＬとの間には多くの類似点があるが、ＤＬとＵＬとの間にはいくつかの違いもあり、エネルギー検出しきい値を定義する方法について異なる考慮が必要な場合がある。ＵＥにおいて不適切なしきい値が設定された場合、ＵＥは以下のいずれかに悩まされる可能性があるので、適切なエネルギーしきい値を定義することは非常に重要である。
（ｉ）しきい値が高すぎる場合、データが送信されるときに強い干渉が生じる可能性がある。これは失敗に終わる非効率的な送信につながる可能性がある。
（ｉｉ）しきい値が低すぎる場合、ＵＥは、チャネル・アクセスの失敗のために送信することができない可能性がある。これにより、送信機会が少なくなり、ＬＡＡ性能が低下する。
【０００７】
エネルギー検出しきい値を定義することに関するＤＬとＵＬとの間の主な違いは以下を含む。
−  ＤＬのしきい値を定義する際に、別のタイプのＲＡＴ、たとえばＷｉ−Ｆｉの存在が考慮されている。しかしながら、これは、ｅＮＢに知られている（たとえば、ｅＮＢにおいて構成／プロビジョニングされる）可能性があるが、ＵＥには知られていない可能性がある。
−  ＵＥのＵＬ電力制御がある。したがって、典型的には、ＵＥは最大送信電力で送信しない。特に小さいセルの場合、ＵＥは最大送信電力をほとんど使用しない。しきい値が最大送信電力に基づいて定義されている場合、あまりにも控えめなしきい値となり、ＬＡＡ性能に好ましくない影響を与える。
−  ｅＮＢからのＤＬ送信は、典型的には、全帯域幅を使用する（特に、ライセンスされたセルからビジー・トラフィックをオフロードするためにＬＡＡが使用される場合を考慮すると）が、ＵＥからのＵＬ送信はシステム帯域幅の一部のみを使用し得る。
−  複数のＵＥは、ＵＬ上でＦＤＭ（周波数分割多重化）またはＭＵ−ＭＩＭＯ（複数のユーザ−多入力多出力）を使用して同じサブフレームにおいて送信することができるが、ＤＬ上ではｅＮＢがセル内の唯一の送信ノードである。
【０００８】
したがって、ＬＡＡのＵＬチャネル検出手順において適切なエネルギー検出しきい値を決定する方法を提供する必要があり、この方法では上記の要因が考慮される必要がある。
【発明の概要】
【課題を解決するための手段】
【０００９】
上述の問題を解決するために、本開示の実施形態は、ライセンス補助アクセス（ＬＡＡ）のアップリンク（ＵＬ）チャネル検出においてチャネル検出しきい値を決定するための方法および装置を提案する。
【００１０】
本開示の一態様は、ライセンス補助アクセスのアップリンク・チャネル検出においてチャネル検出しきい値を決定するための方法を提供し、この方法は、ユーザ機器に関連付けられた１つまたは複数のパラメータを決定することと、１つまたは複数のパラメータのうちの少なくとも１つに基づいて、ユーザ機器のチャネル検出しきい値を決定することとを備える。
【００１１】
本開示の一実施形態によれば、ユーザ機器に関連付けられた１つまたは複数のパラメータを決定することは、前記１つまたは複数のパラメータとして、ユーザ機器に関連付けられた以下の項目のうちの１つまたは複数を決定することを備える。
（ａ）チャネル帯域幅、
（ｂ）送信電力、
（ｃ）別のタイプの無線アクセス・ポイント（ＲＡＴ）が存在するかどうか、および、
（ｄ）隠れノードが存在するかどうか。
【００１２】
本開示の一実施形態によれば、１つまたは複数のパラメータのうちの少なくとも１つに基づいて、ユーザ機器のチャネル検出しきい値を決定することは、チャネル帯域幅および送信電力のうちの少なくとも１つに基づいてチャネル検出しきい値を増加または減少させること、あるいは別のタイプの無線アクセス・ポイントの存在および隠れノードの存在のうちの少なくとも１つに基づいてチャネル検出しきい値を減少させることのうちの少なくとも１つを備える。
【００１３】
本開示の一実施形態によれば、ユーザ機器に関連付けられた１つまたは複数のパラメータを決定することは、前記１つまたは複数のパラメータを第１の順序で決定することと、第１の順序で決定された前記１つまたは複数のパラメータのうちの少なくとも１つを使用してチャネル検出しきい値を決定することとを備える。
【００１４】
本開示の一実施形態によれば、ユーザ機器に関連付けられたチャネル帯域幅を決定することは、システム全体のチャネル帯域幅を決定すること、またはＵＥのバースト送信に割り振られ使用されるチャネル帯域幅を決定することを備える。
【００１５】
本開示の一実施形態によれば、ユーザ機器に関連付けられた送信電力を決定することは、ＵＥの最大送信電力を決定すること、ＵＥのバースト送信の予想される送信電力を決定すること、またはＵＥのバースト送信の前の時間期間における平均送信電力を決定することを備える。
【００１６】
本開示の一実施形態によれば、ＵＥに関連付けられた別のタイプのＲＡＴが存在するかどうかを決定することは、ＵＥに関連付けられた別のタイプのＲＡＴが存在するかどうかを検出することと、ＵＥに関連付けられた別のタイプのＲＡＴが存在するかどうかを示すシグナリングを受信することとのうちの少なくとも１つを備える。
【００１７】
本開示の一実施形態によれば、ＵＥに関連付けられた隠れノードが存在するかどうかを決定することは、基地局によって検出された隠れノードの存在を示すシグナリングを受信すること、または、基地局によって決定された可能な隠れノードの存在を示すシグナリングを受信することを備える。
【００１８】
本開示の一実施形態によれば、本方法は、チャネル検出しきい値を更新するためのシグナリングの受信に応答して、ＵＥに関連付けられた１つまたは複数のパラメータを更新することをさらに備える。
【００１９】
本開示の別の態様は、ライセンス補助アクセスのアップリンク・チャネル・アクセスにおいてチャネル検出しきい値を決定するための装置を提供し、本装置は、ユーザ機器に関連付けられた１つまたは複数のパラメータを決定するように構成されたパラメータ決定モジュールと、１つまたは複数のパラメータのうちの少なくとも１つに基づいて、ユーザ機器のチャネル検出しきい値を決定するように構成されたチャネル検出しきい値決定モジュールとを備える。
【００２０】
本開示の一実施形態によれば、パラメータ決定モジュールは、ＵＥに関連付けられたチャネル帯域幅を決定するように構成されたチャネル帯域幅決定ユニットと、ＵＥに関連付けられた送信電力を決定するように構成された送信電力決定ユニットと、ＵＥに関連付けられた別のタイプの無線アクセス・ポイントが存在するかどうかを決定するように構成された無線アクセス・ポイント決定ユニットと、ＵＥに関連付けられた隠れノードが存在するかどうかを決定するように構成された隠れノード決定ユニットとを備える。
【００２１】
本開示の一実施形態によれば、チャネル検出しきい値決定モジュールは、チャネル帯域幅および送信電力のうちの少なくとも１つに基づいてチャネル検出しきい値を増加または減少させること、あるいは別のタイプの無線アクセス・ポイントの存在および隠れノードの存在のうちの少なくとも１つに基づいてチャネル検出しきい値を減少させることのうちの少なくとも１つを実行するように構成される。
【００２２】
本開示の一実施形態によれば、パラメータ決定モジュールは、前記１つまたは複数のパラメータを第１の順序で決定するように構成され、チャネル検出しきい値決定モジュールは、第１の順序で決定された前記１つまたは複数のパラメータのうちの少なくとも１つを使用してチャネル検出しきい値を決定するように構成される。
【００２３】
本開示の一実施形態によれば、チャネル帯域幅決定ユニットは、システム全体のチャネル帯域幅を決定するように構成された第１の帯域幅決定ユニットと、ＵＥのバースト送信に割り振られ使用されるチャネル帯域幅を決定するように構成された第２の帯域幅決定ユニットとを備える。
【００２４】
本開示の一実施形態によれば、送信電力決定ユニットは、ＵＥの最大送信電力を決定するように構成された第１の送信電力決定ユニット、ＵＥのバースト送信の予想される送信電力を決定するように構成された第２の送信電力決定ユニット、またはＵＥのバースト送信の前の時間期間における平均送信電力を決定するように構成された第３の送信電力決定ユニットを備える。
【００２５】
本開示の一実施形態によれば、無線アクセス・ポイント決定ユニットは、ＵＥに関連付けられた別のタイプの無線アクセス・ポイントが存在するかどうかを検出するように構成された検出ユニットと、ＵＥに関連付けられた別のタイプの無線アクセス・ポイントが存在するかどうかを示すシグナリングを受信するように構成された受信ユニットとを備える。
【００２６】
本開示の一実施形態によれば、隠れノード決定ユニットは、基地局によって検出された隠れノードの存在を示すシグナリングを受信すること、または、基地局によって決定された可能な隠れノードの存在を示すシグナリングを受信することを行うように構成される。
【００２７】
本開示の一実施形態によれば、本装置は、チャネル検出しきい値を更新するためのシグナリングの受信に応答して、ＵＥに関連付けられた１つまたは複数のパラメータを更新するように構成されたパラメータ更新手段をさらに備える。
【００２８】
本明細書の様々な実施形態において論じたチャネル検出しきい値を決定するための方法および装置は、以下の利点を有する。
【００２９】
ｉ）柔軟なチャネル・アクセスが実現され得る。ＬＡＡは、可能な隠れノード問題および露出ノード問題を回避することができる。
【００３０】
ｉｉ）複数のＲＡＴ間のチャネル・アクセス機会のバランスが維持され得る。（たとえば、Ｗｉ−Ｆｉ送信の保護）。
【００３１】
ｉｉｉ）任意の他のキャリア共有の技術なしでも効率が向上される。クリア・チャネル・アセスメント・エネルギー検出（ＣＣＡ  ＥＤ）しきい値と送信電力（最大送信電力以外）との間の関係が確立される。
【００３２】
本明細書に示される図は、本開示のさらなる理解を提供するために使用され、本出願の一部を構成する。本開示の例示的な実施形態およびその描写は、本開示を説明するために使用され、本開示に対する不適切な限定を構成しない。
【図面の簡単な説明】
【００３３】
【図１】本開示の一実施形態による、ＬＡＡのアップリンク・チャネル検出におけるチャネル検出しきい値を決定するための方法のフローチャートである。
【図２】本開示の一実施形態による、ＵＥが別のタイプのＲＡＴを検出できる場合のＬＡＡのアップリンク・チャネル検出におけるチャネル検出しきい値を調整するためのフローチャートである。
【図３】本開示の一実施形態による、ＵＥが別のタイプのＲＡＴを検出できない場合のＬＡＡのアップリンク・チャネル検出におけるチャネル検出しきい値を調整するためのフローチャートである。
【図４】本開示の一実施形態による、ＬＡＡのアップリンク・チャネル検出におけるチャネル検出しきい値を決定するための装置のブロック図である。
【発明を実施するための形態】
【００３４】
次に、本開示の原理が、図面に示される様々な例示的実施形態を参照して説明される。これらの実施形態の説明は、当業者が本開示をよりよく理解し、さらに実施できるようにするためのものにすぎず、いかなる方法によっても本開示の範囲を限定することが意図されるものではないことを理解されたい。
【００３５】
図１は、本開示の一実施形態による、ＬＡＡのアップリンク・チャネル検出におけるチャネル検出しきい値を決定するための方法１００のフローチャートである。方法１００は主なステップＳ１１０〜Ｓ１２０を備える。
【００３６】
ステップＳ１１０において、ユーザ機器に関連付けられた１つまたは複数のパラメータが決定され、
ステップＳ１２０において、ユーザ機器のチャネル検出しきい値が、１つまたは複数のパラメータのうちの少なくとも１つに基づいて決定される。
【００３７】
本開示の一実施形態によれば、ユーザ機器に関連付けられた１つまたは複数のパラメータを決定すること（すなわち、ステップＳ１１０）は、前記１つまたは複数のパラメータとして、ユーザ機器に関連付けられた以下の項目のうちの１つまたは複数を決定することを備え得る。
（ａ）チャネル帯域幅、
（ｂ）送信電力、
（ｃ）別のタイプの無線アクセス・ポイント（ＲＡＴ）が存在するかどうか、および、
（ｄ）隠れノードが存在するかどうか。
【００３８】
本開示の一実施形態によれば、ユーザ機器に関連付けられたチャネル帯域幅を決定することは、システム全体のチャネル帯域幅を決定することを備え得る。
【００３９】
本開示の一実施形態によれば、ユーザ機器に関連付けられたチャネル帯域幅を決定することは、ＵＥのバースト送信に割り振られ使用されるチャネル帯域幅を決定することを備え得る。たとえば、ＵＥが送信のために不連続周波数リソースを使用する場合、チャネル帯域幅は、ＵＥによって使用される実際の帯域幅のみを含む。
【００４０】
本開示の一実施形態によれば、ユーザ機器に関連付けられたチャネル帯域幅を決定することは、チャネル送信しきい値を決定するために上述したチャネル帯域幅のどのタイプが使用されるべきかをＵＥに通知するために、ｅＮＢからＵＥにシグナリングを送信することを備え得る。たとえば、ｅＮＢは、システム全体（）のチャネル帯域幅を使用することを示すために１ビット（たとえば、論理値「０」）を使用することができ、またはＵＥのバースト送信に割り振られ使用されるチャネル帯域幅を使用することを示すために１ビット（たとえば、論理値「１」）を使用することができる。
【００４１】
上述し、ＵＥによって使用される帯域幅は、チャネル検出しきい値を決定するためのものである点に留意されたい。したがって、上述した帯域幅は、ＵＥがチャネル検出（または、エネルギー検出）を実際に実行する帯域幅と必ずしも同じではない。たとえば、ＵＥは、システム全体の帯域幅についてエネルギー検出を実行し得るが、実際に割り振られた帯域幅に基づいて上述したしきい値が計算される。
【００４２】
本開示の一実施形態によれば、ＵＥに関連付けられた送信電力を決定することは、ＵＥの最大送信電力を決定することを備え得る。
【００４３】
本開示の一実施形態によれば、ＵＥに関連付けられた送信電力を決定することは、ＵＥのバースト送信の予想される送信電力を備え得、予想される送信電力は、チャネル検出手順を開始する前にＵＬ電力制御およびスケジューリング情報に基づいてＵＥによって推定され、（たとえば、開ループ電力制御に基づいて）必要に応じてチャネル検出手順中に更新され得る。
【００４４】
チャネル検出手順が成功した場合に、予想される送信電力と実際の送信電力との間にある程度の差異がある場合があるが、その差は小さいと予想される点に留意されたい。
【００４５】
本開示の一実施形態によれば、ＵＥに関連付けられた送信電力を決定することは、ＵＥの最大送信電力を決定することは、ＵＥのバースト送信の前の時間期間における平均送信電力を決定することを備え得る。たとえば、平均は、時間ウィンドウ内で、または無限インパルス応答（ＩＩＲ）フィルタを使用して行われてよい。
【００４６】
本開示の一実施形態によれば、ｅＮＢは、チャネル検出しきい値を決定するためにＵＥにおいて上述した送信電力のどのタイプが使用されるべきかを通知するために、ＵＥにシグナリングを送信し得る。たとえば、ｅＮＢは、最大送信電力を使用することを示すために１ビット（たとえば、論理値「０」）を使用することができ、またはＵＥのバースト送信の予想される送信電力を使用することを示すために１ビット（たとえば、論理値「１」）を使用することができる。
【００４７】
本開示の一実施形態によれば、ＵＥに関連付けられた別のタイプのＲＡＴが存在するかどうかを決定することは、ＵＥに関連付けられた別のタイプのＲＡＴが存在するかどうかを検出することと、ＵＥに関連付けられた別のタイプのＲＡＴが存在するかどうかを示すシグナリングを受信することとのうちの少なくとも１つを備える。
【００４８】
本開示の一実施形態によれば、ＵＥは、ｅＮＢからのいかなる支援もなしに、別のタイプのＲＡＴがそれ自体で存在するかどうかを検出し得る。
【００４９】
本開示の一実施形態によれば、ｅＮＢは、しきい値を決定する際に、ＵＥが他のＲＡＴの存在を仮定するべきかどうかを示すために、ＵＥにシグナリングを送信することができる。
【００５０】
本開示の一実施形態によれば、ＵＥは、別のタイプのＲＡＴが存在するかどうかを決定するために、上記の組み合わせを使用し得る。
【００５１】
本開示の一実施形態によれば、ＵＥに関連付けられた隠れノードが存在するかどうかを決定することは、基地局によって検出された隠れノードの存在を示すシグナリングを受信することを備える。たとえば、ｅＮＢが、特定のＵＥからのＵＬ送信の隠れノード問題を検出すると、ｅＮＢは、隠れノード問題を緩和するために、ＵＥに負のオフセットを送信することによってしきい値を下げることができる。この場合、オフセットは、ＵＥ特有のシグナリングを介してＵＥに送信される
【００５２】
本開示の一実施形態によれば、ＵＥに関連付けられた隠れノードが存在するかどうかを決定することは、ＵＥに関連付けられ、基地局によって決定される、可能な隠れノードが存在するかどうかを示すシグナリングを受信することを備える。たとえば、ｅＮＢは、（ｉ）サブフレーム内でスケジューリングされているＵＥの数、（ｉｉ）ＭＵ−ＭＩＭＯを介して同じ時間周波数リソースを使用してスケジューリングされているユーザのペアの数、および／または（ｉｉｉ）ＵＥからの推定される送信電力を考慮することによって、負のオフセットを使用することを決定し得る。やはり、たとえば、ｅＮＢは、より低いしきい値を使用することを決定し得、ｅＮＢは、任意の他の理由（たとえば、他のＬＡＡ／Ｗｉ−Ｆｉノードとの共存、何らかの特定の展開トポロジなど）で、ブロードキャストシグナリングまたはＵＥ特有のシグナリングを介してすべてのＵＥに負のオフセットシグナリングを送信することができる。
【００５３】
異なるパラメータのためのシグナリングは、別々に、または組み合わせられて、ＵＥに送信され得ることが理解される。たとえば、ｅＮＢが、他のＲＡＴの存在と、隠れノードのしきい値オフセットとの両方をＵＥに通知する必要がある場合、信号は、以下の方法のうちの１つであり得る。
（１）しきい値オフセットの存在を示すためにあるパラメータが使用され、しきい値オフセットを通知するために別のパラメータが使用される
（２）他のＲＡＴの存在と隠れノードによって必要とされるオフセットとの両方を考慮に入れる組み合わされたオフセットを示すために、１つのしきい値オフセットが使用される。たとえば、Ｗｉ−Ｆｉの存在のためにしきい値が１０ｄＢ下げられる必要があり、隠れノード問題に対処するためにさらに４ｄＢが必要な場合、ｅＮＢは、単に１４ｄＢのオフセットをＵＥに通知することができる。
【００５４】
本開示の一実施形態によれば、１つまたは複数のパラメータのうちの少なくとも１つに基づいて、ユーザ機器のチャネル検出しきい値を決定すること（すなわち、ステップＳ１２０）は、チャネル帯域幅および送信電力のうちの少なくとも１つに基づいてチャネル検出しきい値を増加または減少させること、あるいは別のタイプのＲＡＴの存在および隠れノードの存在のうちの少なくとも１つに基づいてチャネル検出しきい値を減少させることのうちの少なくとも１つを備える。
【００５５】
本開示の一実施形態によれば、方法１００は、チャネル検出しきい値を更新するためのシグナリングの受信に応答して、ＵＥに関連付けられた１つまたは複数のパラメータを更新するための更新ステップＳ１３０をさらに備える。
【００５６】
たとえば、しきい値が変更／更新される必要がある場合、しきい値を変更／更新するためのシグナリングがＵＥに送信され得る。たとえば、状態の変化があるときはいつでも、ｅＮＢは、ＵＥがパラメータおよびチャネル検出しきい値を更新できるように、半静的シグナリングをＵＥに送信する。このシグナリングは、ライセンスされたキャリアまたはアンライセンスキャリアのいずれかでＵＥに配信され得る。
【００５７】
代替で、しきい値オフセットなどの必要なパラメータが、ＵＬ許可を搬送するダウンリンク制御情報（ＤＣＩ）メッセージに含められ得る。この場合、ＵＥは、ＵＬ送信のしきい値を決定するために、このＤＣＩ内のパラメータを使用する。
【００５８】
以下の具体例を参照する。この例は、上述した複数のパラメータを考慮し、チャネル検出しきい値を以下の式（１）のように表現する。
Ｔｍａｘ＝−７５ｄＢｍ／ＭＨｚ＋１０＊ｌｏｇ１０（ＢＷＭＨｚ）＋α（ＰＨ−ＰＴＸ）−Ｙ＋Ｃｏｎｓ（１）
上式で、
−  ＢＷＭＨｚはチャネル帯域幅（ＭＨｚ）であり、
−  ＰＨは、ＵＥの最大送信電力、たとえば２３ｄＢｍを示す。
−  ＰＴＸは、ＵＥに含まれるノイズおよびチャネルファクタを有するＵＥの送信電力を示す。ＰＴＸは、平均送信電力を使用して、バーストごとに、またはより大きな時間スケールで更新され得る。
【００５９】
−  αは、送信電力のしきい値への影響をスケーリングするスケール係数であり、
−  Ｙ＝Ｙ１＋Ｙ２はオフセットを示す。他のどのタイプのＲＡＴも報告されない場合、Ｙ１＝０である。それ以外の場合、Ｙ１は正の値になる。また、ＹはＹ２による隠れノード問題に対して設計されている。不適切なＵＥしきい値のために隠れノード問題が発生した場合、Ｙ２は、同時送信による競合をさらに低減するために正の値であり得る。
【００６０】
−  ７５ｄＢｍ／ＭＨｚは、ＬＡＡと他のＲＡＴが共存する場合を基準としており、チャネル検出しきい値を調整するための基準値として使用される。
−  Ｃｏｎｓは定数である。
【００６１】
上記の式（１）を参照すると、ＵＥチャネル検出しきい値は、以下の項目に従って決定され、特定される。
【００６２】
（ｉ）チャネル帯域幅
上述のように、チャネル帯域幅は、ＵＥがそのデータを配信（または送信）する帯域幅を指す。実際には、ＵＥは帯域幅全体の一部を利用し得る。チャネル検出は、定格帯域幅または帯域幅の一部で実行され得る。帯域幅はＢＷＭＨｚで表される。
【００６３】
具体的には、複数のＵＥがある場合、１つのＵＥは、ＵＬ送信においてシステム帯域幅のすべてではなく、その一部を占有し得る。したがって、複数のＵＥ間のインターロックを回避するために、チャネル検出帯域幅はシステム帯域幅の一部であり得る。チャネル検出しきい値もこの帯域幅に適応するべきである。
【００６４】
一方、ＵＥのアップリンク送信は、電力スペクトル密度要件を満たすために、帯域幅全体に広がる可能性がある。この場合、ＢＷＭＨＺは帯域幅全体でなければならない。
【００６５】
（ｉｉ）送信電力
ＵＥは、ＵＬ送信において帯域幅全体を占有することはできない。したがって、しきい値調整は、ＵＥおよびＵＥによって利用されるサブキャリアの送信電力（密度）に基づくものとする。αの値の設定は、そのしきい値に対するＵＥの送信電力の影響を示す。
【００６６】
さらに、ＰＴＸは、異なる時間期間において柔軟に調整され得る。
【００６７】
別の選択肢は、ＵＥの最大送信電力を選択し、ＰＴＸを無視することである。
【００６８】
（ｉｉｉ）別のタイプのＲＡＴの存在
別のタイプのＲＡＴの存在が検出されると、ＵＥのしきい値は、ＵＥがそれらと共存できるように、たとえば、より低い値（Ｙ＜０）に維持される。
【００６９】
他のＲＡＴが存在するかどうかを検出する能力をＵＥが有さない場合、ＵＥはｅＮＢに要求を送信し得、ｅＮＢは他のＲＡＴが存在するかどうかを示すためにＵＥにシグナリングを送信することができる。別のタイプのＲＡＴの存在は、展開段階でｅＮＢに知られ、オペレータによって設定され得るが、ＵＥには知られていない可能性がある。
【００７０】
別のタイプのＲＡＴが存在するかどうかを示すためにｅＮＢがＵＥへのシグナリングの送信を開始する場合、ＵＥはシグナリングと異なる結果を検出する。この場合、ＵＥは、別のタイプのＲＡＴの影響を軽減するために、より低いしきい値を維持することができる。
【００７１】
（ｉｖ）クリアチャネル評価エネルギー検出（ＣＣＡ  ＥＤ）しきい値オフセット
ＣＣＡ  ＥＤしきい値オフセットは、ＵＥ側において（たとえば、隠れノード問題を回避するために負の値を使用する）柔軟なチャネル・アクセスを可能にするために、ｅＮＢによって構成される。ｅＮＢが、おそらく隠れノードによって引き起こされる異常状態を観測する場合、Ｙ２によって反映される隠れノード問題を回避するために、ＵＥにそのしきい値を下げることを提案する。ｅＮＢは、ダウンリンクシグナリングによってＵＥにオフセットを示し得る。
【００７２】
本開示の一実施形態によれば、ユーザ機器に関連付けられた１つまたは複数のパラメータを決定すること（すなわち、ステップＳ１１０）は、前記１つまたは複数のパラメータを第１の順序で決定することと、第１の順序で決定された前記１つまたは複数のパラメータのうちの少なくとも１つを使用することによってチャネル検出しきい値を決定することとをさらに備え得る。
【００７３】
特定の順序（たとえば、第１の順序）でパラメータ決定および対応するしきい値適応手順を示すために、図２および図３における特定の例を参照する。
【００７４】
図２は、本開示の一実施形態による、ＵＥが別のタイプのＲＡＴを検出できる場合のＬＡＡのアップリンク・チャネル検出におけるチャネル検出しきい値を調整するためのフローチャートである。
【００７５】
図３は、本開示の一実施形態による、ＵＥが別のタイプのＲＡＴを検出できない場合のＬＡＡのアップリンク・チャネル検出におけるチャネル検出しきい値を調整するためのフローチャートである。
【００７６】
簡略化のため、図２および図３に示される２つの場合では、見本となるように、ＵＥのスペクトルセンシングの２つのレベルのしきい値のみが考慮される。パラメータと変数は次のように設定される。
−  ＢＷＭＨｚは全帯域幅である、
−  ＰＴＸはバースト送信ごとに調整された送信電力である、
−  α＝１である。
−  他のどのタイプのＲＡＴも隠れノードも検出されない場合、Ｙはゼロである。それ以外の場合、Ｙは正の値である。
【００７７】
上記のパラメータおよび変数に基づいて、隠れノードが存在しない場合、しきい値は以下のように書かれ得る。
−  高レベル（Ｙ１＝０、Ｙ２＝０）、
ＴＨ１＝−７５ｄＢｍ／ＭＨｚ＋１０＊ｌｏｇ１０（ＢＷＭＨｚ）＋（ＰＨ−ＰＴＸ）＋Ｃｏｎｓ、
−  低レベル（Ｙ１＞０、Ｙ２＝０）
ＴＬ１＝−７５ｄＢｍ／ＭＨｚ＋１０＊ｌｏｇ１０（ＢＷＭＨｚ）−Ｙ＋（ＰＨ−ＰＴＸ）＋Ｃｏｎｓ．
【００７８】
上記のパラメータおよび変数に基づいて、隠れノードがある場合、しきい値は以下のように書かれ得る。
−  高レベル（Ｙ１＝０、Ｙ２＞０）
ＴＨ２＝−７５ｄＢｍ／ＭＨｚ＋１０＊ｌｏｇ１０（ＢＷＭＨｚ）−Ｙ２＋（ＰＨ−ＰＴＸ）＋Ｃｏｎｓ、
−  低レベル（Ｙ１＞０、Ｙ２＞０）
ＴＬ２＝−７５ｄＢｍ／ＭＨｚ＋１０＊ｌｏｇ１０（ＢＷＭＨｚ）−Ｙ＋（ＰＨ−ＰＴＸ）＋Ｃｏｎｓ．
【００７９】
ＬＡＡが別のタイプのＲＡＴ、たとえばＷｉ−Ｆｉと共存する場合については、以下で検討される。ＵＥが別のタイプのＲＡＴを検出することができる場合、しきい値適合（調整）手順が図２に示されており、ＵＥが別のタイプのＲＡＴを検出することができない場合、しきい値適応手順が図３に示されている。
【００８０】
図２に示されるように（すなわち、ＵＥが別のタイプのＲＡＴを検出できる場合）、
−  第１に、ＵＥは、各バースト送信のチャネル検出しきい値のためにＰＴＸを更新する。
−  次いで、ＵＥは、別のタイプのＲＡＴが検出された場合、チャネル検出しきい値を低レベル（Ｙ１＞０、Ｙ２＝０）に下げる。その後、ＵＥは、ｅＮＢからの隠れノードの報告をチェックする。ＵＥが他のどのタイプのＲＡＴも検出しない場合、ＵＥは隠れノードをチェックするために次のステップに進むことができる。
【００８１】
−  ＵＥは、ｅＮＢからの隠れノードに関するシグナリングをチェックする。現在、しきい値が低レベルＴＬ１（Ｙ１＞０、Ｙ２＝０）であり、隠れノードの報告がない場合、最終しきい値はＴＬ１に設定される。現在、しきい値が低レベルＴＬ１（Ｙ１＞０、Ｙ２＝０）であり、隠れノードの報告がある場合、最終しきい値はより低レベルのＴＬ２（Ｙ１＞０、Ｙ２＞０）に設定される。現在、しきい値が高レベルＴＨ１（Ｙ１＝０、Ｙ２＝０）であり、隠れノードの報告がない場合、最終しきい値はＴＨ１に設定される。現在しきい値が高レベルＴＨ１（Ｙ１＝０、Ｙ２＝０）であり、隠れノードの報告がある場合、最終しきい値は高レベルＴＨ２（Ｙ１＝０、Ｙ２＞０）に設定される。
【００８２】
−  次の適応サークルでは、送信電力が更新され、しきい値が再び更新される。
【００８３】
図３に示されるように（すなわち、ＵＥが別のタイプのＲＡＴを検出することができない場合）、
−  第１に、ＵＥは、各バースト送信のチャネル検出しきい値のためにＰＴＸを更新する。
【００８４】
−  ＵＥは別のタイプのＲＡＴを検出することができないので、しきい値はより低レベルに維持される。その間、ＵＥはｅＮＢのガイドに従う。
【００８５】
−  ｅＮＢは、別のタイプのＲＡＴが存在するかどうかを示すためにＵＥにシグナリングを送信する。ＵＥしきい値はすでにより低レベルＴＬ１（Ｙ１＞０、Ｙ２＝０）であるので、ＵＥはしきい値を変更しない。このポリシーは、主に別のタイプのＲＡＴを保護し、ＲＡＴの影響を軽減するためのものである。
【００８６】
−  次に、ＵＥは、隠れノードに関するｅＮＢの報告をチェックする。隠れノードの報告がない場合、最終しきい値はＴＬ２（Ｙ１＞０、Ｙ２＝０）に設定される。それ以外の場合、最終しきい値はＴＬ２（Ｙ１＞０、Ｙ２＞０）に設定される。
【００８７】
−  次の適応サークルでは、送信電力が更新され、しきい値が再び更新される。
【００８８】
必ずしも上述のように図２および図３のすべてのステップを提示する必要はない点に留意されたい。また、図２および図３に示されるフローに提示された正確な順序に従う必要はない。含まれるステップおよび実行順序は例示にすぎず、限定的ではない。当業者であれば、より多数またはより少数のパラメータおよび追加のパラメータを含むしきい値調整手順も本開示の範囲内に含まれるべきであることを理解するであろう。
【００８９】
図４は、本開示の一実施形態による、ＬＡＡのアップリンク・チャネル検出におけるチャネル検出しきい値を決定する装置４００のブロック図である。装置４００は、ユーザ機器に関連付けられた１つまたは複数のパラメータを決定するように構成されたパラメータ決定モジュール４１０と、１つまたは複数のパラメータのうちの少なくとも１つに基づいて、ユーザ機器のチャネル検出しきい値を決定するように構成されたチャネル検出しきい値決定モジュール４２０とを備える。
【００９０】
本開示の一実施形態によれば、パラメータ決定モジュール４１０は、ＵＥに関連付けられたチャネル帯域幅を決定するように構成されたチャネル帯域幅決定ユニットと、ＵＥに関連付けられた送信電力を決定するように構成された送信電力決定ユニットと、ＵＥに関連付けられた別のタイプの無線アクセス・ポイントが存在するかどうかを決定するように構成された無線アクセス・ポイント決定ユニットと、ＵＥに関連付けられた隠れノードが存在するかどうかを決定するように構成された隠れノード決定ユニットとを備える。
【００９１】
本開示の一実施形態によれば、チャネル検出しきい値決定モジュール４２０は、チャネル帯域幅および送信電力のうちの少なくとも１つに基づいてチャネル検出しきい値を増加または減少させること、あるいは別のタイプの無線アクセス・ポイントの存在および隠れノードの存在のうちの少なくとも１つを通じてチャネル検出しきい値を減少させることのうちの少なくとも１つを実行するように構成される。
【００９２】
本開示の一実施形態によれば、パラメータ決定モジュール４１０は、前記１つまたは複数のパラメータを第１の順序で決定することと、第１の順序で決定された前記１つまたは複数のパラメータのうちの少なくとも１つを使用してチャネル検出しきい値を決定することとを行うように構成される。
【００９３】
本開示の一実施形態によれば、チャネル帯域幅決定ユニットは、システム全体のチャネル帯域幅を決定するように構成された第１の帯域幅決定ユニットと、ＵＥのバースト送信に割り振られ使用されるチャネル帯域幅を決定するように構成された第２の帯域幅決定ユニットとを備える。
【００９４】
本開示の一実施形態によれば、送信電力決定ユニットは、ＵＥの最大送信電力を決定するように構成された第１の送信電力決定ユニット、ＵＥのバースト送信の予想される送信電力を決定するように構成された第２の送信電力決定ユニット、またはＵＥのバースト送信の前の時間期間における平均送信電力を決定するように構成された第３の送信電力決定ユニットを備える。
【００９５】
本開示の一実施形態によれば、無線アクセス・ポイント決定ユニットは、ＵＥに関連付けられた別のタイプの無線アクセス・ポイントが存在するかどうかを検出するように構成された検出ユニットと、ＵＥに関連付けられた別のタイプの無線アクセス・ポイントが存在するかどうかを示すシグナリングを受信するように構成された受信ユニットとを備える。
【００９６】
本開示の一実施形態によれば、隠れノード決定ユニットは、基地局によって検出された隠れノードの存在を示すシグナリングを受信すること、または、基地局によって決定された可能な隠れノードの存在を示すシグナリングを受信することを行うように構成される。
【００９７】
本開示の一実施形態によれば、装置４００は、チャネル検出しきい値を更新するためのシグナリングの受信に応答して、ＵＥに関連付けられた１つまたは複数のパラメータを更新するように構成されたパラメータ更新手段をさらに備える。上述の内容は、本開示の任意の実施形態にすぎず、本開示を限定することが意図されるものではない。当業者であれば、本開示が様々な修正および変形を有し得ることを理解する。本開示の趣旨および原理内のあらゆる修正、均等物、および改良はすべて本開示の保護範囲内に含まれるものとする。
【図１】
2019504580.tif 000003
【図２】
2019504580.tif 000004
【図３】
2019504580.tif 000005
【図４】
2019504580.tif 000006
【国際調査報告】
2019504580.tif 000007
2019504580.tif 000008
2019504580.tif 000009